(57)【要約】【課題】着用者の股間部に配置される吸収体の面積を増やして吸収性能を向上させつつ、着用者の身体に沿って吸収体を配置してフィット性を高めることができる吸収性物品を提供する。【解決手段】本発明に係る吸収性物品１は、吸収性本体１Ａと外装体１Ｂが、接合領域ＲＡにおいて接合されている。吸収体の後側端部は、後胴回り域における前記胴回り保持部よりも前側に配置されている。吸収体は、吸収体が厚み方向に凸に曲がることができるように形成された曲部と、曲部よりも後方において吸収体の後側端部よりも剛性が高い高剛性領域と、を有する。外装体には、高剛性領域と接合領域とが重なる領域から幅方向に沿って延びる所定領域内において幅方向に伸縮する後レッグ弾性材５Ｒが設けられている【選択図】図２
2014233373.tif 000002
【特許請求の範囲】
【請求項１】
着用者の身体前側と身体後側とに延びる前後方向と、前記前後方向に直交する幅方向と、前記着用者に向かう内方向及び前記内方向と反対側に向かう外方向を有する厚み方向と、を有し、
前記着用者の身体前側に位置する前胴回り域と、前記着用者の身体後側に位置する後胴回り域と、前記前胴回り域と前記後胴回り域との間に位置する股下域と、を備え、
少なくとも前記股下域に配置される吸収体を備える吸収性本体と、
前記吸収性本体よりも非肌当接面側に位置し、少なくとも前記前胴回り域及び前記後胴回り域に配置される外装体と、を備え、
前記吸収性本体と前記外装体は、接合領域において接合される吸収性物品であって、
前記前胴回り域及び前記後胴回り域において、前記幅方向に沿って延び、前記吸収性物品を着用者の身体に保持するように構成されている胴回り保持部を備え、
前記吸収体の後側端部は、前記後胴回り域における前記胴回り保持部よりも前側に配置されており、
前記吸収体は、前記吸収体が前記前後方向に沿って前記厚み方向に凸に曲がることができるように形成された曲部と、前記曲部よりも後方において前記吸収体の前記後側端部よりも剛性が高い高剛性領域と、を有しており、
前記高剛性領域と前記接合領域は、少なくとも一部が重なっており、
前記外装体には、前記高剛性領域と前記接合領域とが重なる領域から前記幅方向に沿って延びる所定領域内において、前記幅方向に伸縮する弾性材が設けられている、吸収性物品。
【請求項２】
前記弾性材は、前記弾性材の前記幅方向中央において分断され、幅方向に離間しており、
分断された各弾性材の前記幅方向内側端部は、前記吸収体よりも幅方向外側に配置されている、請求項１に記載の吸収性物品。
【請求項３】
前記曲部は、前記吸収体の前記幅方向中央に位置し、かつ前記吸収体が前記前後方向に沿って前記内方向に凸に曲がることができるように形成された中央曲部と、前記中央曲部よりも幅方向外側に位置し、かつ前記吸収体が前記前後方向に沿って前記外方向に凸に曲がることができるように形成されたサイド曲部と、を有する、請求項１又は請求項２に記載の吸収性物品。
【請求項４】
前記曲部は、前記吸収体に形成されたスリット、前記前後方向に沿って前記吸収体に配置された弾性材、前記吸収体において周囲の吸収体の目付よりも低い目付である低目付領域、及び前記吸収体を厚み方向において圧搾した圧搾部、及び前記吸収体において周囲の吸収体と目付が異なる目付境界部のうち、いずれかによって構成される、請求項１から請求項３のいずれかに記載の吸収性物品。
【請求項５】
前記吸収体は、第１吸収層と、前記第１吸収層よりも前記内方向に配置された第２吸収層と、を備え、
前記吸収体の後側端部は、前記第１吸収層又は前記第２吸収層のみが配置されており、
前記高剛性領域は、前記第１吸収層と前記第２吸収層が積層された領域である、請求項１から請求項４のいずれかに記載の吸収性物品。
【請求項６】
前記高剛性領域は、前記吸収体が前記厚み方向に圧搾された圧搾部が形成された領域である、請求項１から請求項４のいずれかに記載の吸収性物品。
【請求項７】
前記外装体は、前記前胴回り域と前記股下域の一部に跨がって配置された前外装体と、前記後胴回り域と前記股下域の一部に跨がって配置された後外装体と、を備えており、
前記後外装体の前側端部は、前記所定領域内に位置する、請求項１から請求項６のいずれかに記載の吸収性物品。
【請求項８】
前記前外装体と前記後外装体とが接合されたサイド接合部を有し、パンツ型に成形された使い捨ておむつであって、
前記弾性材は、前記後胴回り域において着用者の脚回りに沿って配置される後レッグ弾性材であり、
前記後レッグ弾性材の幅方向外側端部は、前記サイド接合部に到達しており、
前記後レッグ弾性材は、前記サイド接合部から前記幅方向内側に向かって、前記前後方向内側に延びている、請求項７に記載の吸収性物品。
【請求項９】
前記吸収体の前側端部は、前記前胴回り域における前記胴回り保持部よりも後側に配置されており、
前記吸収体は、前記曲部よりも前方において前記吸収体の前記前側端部の剛性よりも剛性が高い高剛性領域を有しており、
前記高剛性領域と前記接合領域は、少なくとも一部が重なっており、
前記外装体には、前記高剛性領域と前記接合領域とが重なる領域から前記幅方向に沿って延びる所定領域内において、前記幅方向に伸縮する弾性材が設けられている、請求項１から請求項８のいずれかに記載の吸収性物品。
【発明の詳細な説明】
【技術分野】
【０００１】
本発明は、吸収体を曲げることができる曲部を有する吸収性物品に関する。
【背景技術】
【０００２】
吸収性物品は、着用者の装着感向上や排泄物の漏れ防止を図るため、様々な工夫がなされており、例えば、吸収体を着用者から離間する側に曲げることができる曲部を吸収体に形成した吸収性物品が知られている。例えば、特許文献１には、着用者の排泄物を吸収する吸収体に、吸収体の前後方向に沿った曲部としての溝が形成された吸収性物品が記載されている。
【０００３】
特許文献１の吸収性物品は、吸収体に形成された溝が着用時に曲がるように構成されている。幅方向中央の溝は、着用者の排泄口に向けて凸状となり、中央の溝よりも幅方向外側に位置する溝は、排泄口に対して凹状となる（特許文献１の図２参照）。
【０００４】
すなわち、吸収体には、幅方向に沿って凸状部分と凹状部分とが交互に隣接して形成される。吸収体が着用時に溝を基点にして曲がるため、吸収体がフラットな状態の吸収性物品と比較して、着用者の股下域に当接する吸収体の面積が増え、吸収性能が高くなる。
【先行技術文献】
【特許文献】
【０００５】
【特許文献１】特許３６１６０７７号公報
【発明の概要】
【発明が解決しようとする課題】
【０００６】
しかし、吸収体に形成される曲部は、着用者の股間に当てられる股下域のみならず、股下域よりも後方や前方に位置する後胴回り域や前胴回り域にも形成されている。
【０００７】
例えば、股下域よりも後方の後胴回り域は、着用者の臀部に接するように配置される。この後胴回り域に凹状部分や凸状部分が形成されていると、吸収体が前後方向において曲線状に変形し難くなり、臀部の丸みに沿って吸収体が配置されないことがある。よって、身体に沿って吸収体が配置されず、フィット性が低下するおそれがある。
【０００８】
そこで、本発明は、着用者の股間部に配置される吸収体の面積を増やして吸収性能を向上させつつ、着用者の身体に沿って吸収体を配置してフィット性を高めることができる吸収性物品を提供することを目的とする。
【課題を解決するための手段】
【０００９】
本発明に係る吸収性物品は、着用者の身体前側と身体後側とに延びる前後方向と、前記前後方向に直交する幅方向と、前記着用者に向かう内方向及び前記内方向と反対側に向かう外方向を有する厚み方向と、を有し、前記着用者の身体前側に位置する前胴回り域と、前記着用者の身体後側に位置する後胴回り域と、前記前胴回り域と前記後胴回り域との間に位置する股下域と、を備え、少なくとも前記股下域に配置される吸収体を備える吸収性本体と、前記吸収性本体よりも非肌当接面側に位置し、少なくとも前記前胴回り域及び前記後胴回り域に配置される外装体 と、を備え、前記吸収性本体と前記外装体は、接合領域において接合される吸収性物品であって、前記前胴回り域及び前記後胴回り域において、前記幅方向に沿って延び、前記吸収性物品を着用者の身体に保持するように構成されている胴回り保持部 を備え、前記吸収体の後側端部は、前記後胴回り域における前記胴回り保持部よりも前側に配置されており、前記吸収体は、前記吸収体が前記前後方向に沿って前記厚み方向に凸に曲がることができるように形成された曲部と、前記曲部よりも後方において前記吸収体の前記後側端部よりも剛性が高い高剛性領域 と、を有しており、前記高剛性領域と前記接合領域は、少なくとも一部が重なっており、前記外装体には、前記高剛性領域と前記接合領域とが重なる領域から前記幅方向に沿って延びる所定領域内において、前記幅方向に伸縮する弾性材が設けられていることを要旨とする。
【発明の効果】
【００１０】
本開示に係る特徴によれば、着用者の股間部に配置される吸収体の面積を増やして吸収性能を向上させつつ、着用者の身体に沿って吸収体を配置して、フィット性を高めることができる吸収性物品を提供することができる。
【図面の簡単な説明】
【００１１】
【図１】実施の形態に係る使い捨ておむつの概略斜視図である。
【図２】実施の形態に係る使い捨ておむつの展開平面図である。
【図３】図２に示すＡ-Ａ線に沿った使い捨ておむつの幅方向断面図である。
【図４】図２に示すＢ-Ｂ線に沿った使い捨ておむつの前後方向断面図である。
【図５】実施の形態に係る使い捨ておむつの展開平面図である。
【図６】実施の形態に係る吸収体の平面図である。
【図７】使い捨ておむつ１の着用状態を模式的に示す断面図（図１のＡ−Ａ線基準）である。
【図８】後外装体の着用時の変形態様を説明するための図である。
【図９】変形例に係る使い捨ておむつの展開平面図である。
【発明を実施するための形態】
【００１２】
次に、実施の形態に係る吸収性物品としての使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれ得る。
【００１３】
図１は、本実施形態の使い捨ておむつ１の概略斜視図である。図２は、本実施形態に係る使い捨ておむつ１の展開平面図である。図３は、図２に示すＡ−Ａ線に沿った使い捨ておむつ１の幅方向断面図である。図４は、図２に示すＢ−Ｂ線に沿った使い捨ておむつ１の前後方向断面図である。使い捨ておむつ１は、パンツ型の使い捨ておむつである。図２に示す展開平面図は、使い捨ておむつを構成する吸収性本体及び外装体の皺が形成されない状態まで、レッグ弾性材等の弾性材を伸長させた状態の図である。
【００１４】
使い捨ておむつ１は、着用者の身体前側と身体後側とに延びる前後方向Ｌと、前後方向Ｌに直交する幅方向Ｗと、着用者に向かう内方向ＩＮ及び内方向と反対側に向かう外方向ＯＵＴを有する厚み方向Ｔと、を有する。
【００１５】
使い捨ておむつ１は、図２に示すように、使い捨ておむつ１の前後方向Ｌにおいて、着用者の前胴回りに当てられる前胴回り域Ｓ１と、着用者の後胴回りに当てられる後胴回り域Ｓ２と、着用者の股下に当てられ、前胴回り域Ｓ１と後胴回り域Ｓ２との間に位置する股下域Ｓ３と、を有する。
【００１６】
使い捨ておむつ１は、表面シート１０、吸収体４０及び吸収体裏面シート３０等を含む吸収性本体１Ａと、前側外装トップシート７０Ｆ、後側外装トップシート７０Ｒ、前側外装バックシート８０Ｆ及び後側外装バックシート８０Ｒ等を含む外装体１Ｂと、から構成されており、これらは互いに、接着剤や熱融着などによって接合されている。
【００１７】
前胴回り域Ｓ１の一方の幅方向外側端部に位置する前胴回り縁部４が、後胴回り域Ｓ２の一方の幅方向外側端部に位置する後胴回り縁部６と接合され、かつ前胴回り域Ｓ１の他方の幅方向外側端部に位置する前胴回り縁部４’が、後胴回り域Ｓ２の他方の幅方向外側端部に位置する後胴回り縁部６’と接合されることによって、使い捨ておむつ１がパンツ型に形成される。パンツ型の使い捨ておむつの前胴回り域及び後胴回り域には、互いの縁部が接合されたサイド接合部１１が形成されており、股下域Ｓ３は、サイド接合部１１よりも前後方向内側の領域である。
【００１８】
なお、本実施の形態において、前胴回り域及び後胴回り域によって胴回り保持部が構成される。具体的には、前胴回り域の胴回り保持部は、サイド接合部１１から幅方向に延びる範囲であり、後胴回り域の胴回り保持部は、接合部から幅方向に延びる範囲である。
【００１９】
使い捨ておむつ１には、図１に示すように、パンツ型に形成された状態で、着用者の腰回りを囲んで配置される腰回り開口部８と、着用者の脚回りを囲んで配置される一対の脚回り開口部９と、が形成される。
【００２０】
外装体１Ｂは、吸収性本体１Ａに接合され、かつ少なくとも前胴回り域に配置される前外装体１ＢＦと、吸収性本体１Ａに接合され、かつ少なくとも後胴回り域に配置される後外装体１ＢＲと、前外装体１ＢＦと後外装体１ＢＲとを繋ぎ、かつ少なくとも股下域に配置されるセンター外装体１ＢＣと、を有する。
【００２１】
前外装体１ＢＦは、前側外装トップシート７０Ｆ及び前側外装バックシート８０Ｆを備えている。後外装体１ＢＲは、後側外装トップシート７０Ｒ及び後側外装バックシート８０Ｒを備えている。センター外装体１ＢＣは、センター外装シート１００を有する。前外装体１ＢＦと、後外装体１ＢＲとは、前後方向に離間している。前外装体１ＢＦと後外装体１ＢＲとが離間した領域では、センター外装体１ＢＣの非肌接側の面が露出している。
【００２２】
なお、外装体１Ｂは、センター外装体１ＢＣを備えずに前外装体１ＢＦと後外装体１ＢＲとが分離されていてもよいし、前外装体１ＢＦと後外装体１ＢＲとが一体化されていてもよい。
【００２３】
前側外装トップシート７０Ｆ及び後側外装トップシート７０Ｒは、エアスルー不織布、スパンボンド不織布、ＳＭＳ不織布、防水フィルムなどによって形成できる。本実施形態に係る前側外装トップシート７０Ｆ及び後側外装トップシート７０Ｒは、ポリプロピレンからなる目付１５g/m2のSMS不織布によって形成されている。
【００２４】
前側外装バックシート８０Ｆ及び後側外装バックシート８０Ｒは、着用時において外側に位置する、つまり、着用者の肌から離れる側に配置される。前側外装バックシート８０Ｆ及び後側外装バックシート８０Ｒの前後方向外側端部は、肌当接面側に折り返され、前側外装トップシート７０Ｆ（又は後側外装トップシート７０Ｒ）の前後方向の外側端部を包むように配置される。
【００２５】
前側外装バックシート８０Ｆ及び後側外装バックシート８０Ｒは、エアスルー不織布、スパンボンド不織布、ＳＭＳ不織布、防水フィルムなどによって形成できる。本実施形態に係る外装バックシートは、ポリプロピレンからなる目付１７g/m2のスパンボンド不織布によって形成されている。
【００２６】
センター外装シート１００は、不織布からなる。具体的には、センター外装シート１００は、ポリプロピレンからなる目付１９g/m2のスパンボンド不織布によって形成されている。
【００２７】
センター外装シート１００の幅方向の長さは、吸収性本体１Ａの幅方向の長さと同じである。なお、センター外装シート１００の幅方向の長さは、吸収性本体の幅方向の長さよりも短くてもよいし、吸収性本体の幅方向の長さよりも長くてもよい。センター外装シート１００は、前外装体１ＢＦと後外装体１Ｂに跨がって配置されている。センター外装シート１００の前側端部は、前側外装トップシート７０Ｆと吸収性本体１Ａとの間に配置され、センター外装シート１００の後側端部は、後側外装トップシート７０Ｒと吸収性本体１Ａの間に配置される。
【００２８】
外装体１Ｂは、吸収性本体１Ａと重なる領域のうち一部において吸収性本体１Ａと接合されている。外装体１Ｂと吸収性本体１Ａとが重なる領域のうち他の領域は、外装体１Ｂと吸収性本体１Ａとが接合されていない。図５において、吸収性本体１Ａと外装体１Ｂが接合される接合領域ＲＡに斜線を付して示す。接合領域Ｒ１は、吸収性本体１Ａと前外装体１ＢＦとが重なる部分において、吸収性本体１Ａの幅方向全域に設けられている。接合領域Ｒ１は、吸収性本体１Ａと後外装体１ＢＲとが重なる部分において、吸収性本体１Ａの幅方向全域に設けられている。接合領域Ｒ１は、吸収性本体１Ａとセンター外装体１ＢＣとが重なる部分において、吸収性本１Ａの幅方向の外側端部よりも幅方向内側に設けられている。
【００２９】
吸収性本体１Ａは、表面シート１０、セカンドシート１５、吸収体裏面シート及び防漏部を含み、外装体１Ｂよりも着用者側に配置される。
【００３０】
表面シート１０は、着用者の肌に直接的に接し得る肌当接面を形成するシートである。表面シート１０は、吸収体４０よりも肌当接面側に配置される。表面シート１０は、親水性不織布や織物、開口プラスチックフィルム、開口疎水性不織布などの液透過性のシートによって形成されている。本実施の形態に係る表面シート１０は、ポリプロピレンからなる目付１８ｇ/ｍ２の親水性スパンボンド不織布によって形成されている。
【００３１】
表面シート１０の非肌当接面側には、セカンドシート１５が接合されている。セカンドシート１５は、表面シート１０と吸収体４０との間に配置される。セカンドシート１５を設けることにより、体液の吸収速度を速くすることができ、かつ吸収後における体液の逆戻りを抑制することができる。
【００３２】
本実施の形態に係る表面シート１０とセカンドシート１５は、接着剤によって接合されている。セカンドシート１５は、例えば、エアスルー不織布や、開口フィルムなどが用いられる。本実施の形態のセカンドシート１５は、エアスルー不織布３０ｇ／ｍ２(親水性)によって形成されている。
【００３３】
吸収体４０は、表面シート１０とセカンドシート１５とが接合された複合シートと、吸収体裏面シート３０との間において、複合シートと吸収体裏面シートにホットメルト型接着剤によって接合される。ホットメルト型接着剤は、複合シート及び裏面シートにそれぞれ塗工され、例えば、スパイラル塗工方法により、それぞれ目付5g/m2，8g/m2で塗られる。
【００３４】
図６は、吸収体の平面図である。吸収体４０は、着用者の非肌当接面側に位置する第１吸収層４１と、第１吸収層４１と重ねられ、かつ着用者の肌当接面側に位置する第２吸収層４２と、を有する。吸収体の幅方向の長さは、前外装体及び後外装体と重なる領域において120〜250mmであり、股下域において120〜250mmである。本実施形態の吸収体の幅方向の長さは、前外装体及び後外装体と重なる領域において150mmである。股下領域において、着用者が足を閉じたときに幅が最も狭くなる部位に当たる吸収体の幅方向の長さ（図６に示すＬ４０）は、150mmである。吸収性本体をできるだけコンパクトな大きさにして違和感を少なくするとともに、材料費を少なくするためには、吸収体の幅方向の長さは、200mm以下であることが望ましい。吸収性本体の幅も、本実施形態のようなサイド防漏部の構造をとり、上記吸収体幅とほぼ同じにすることが望ましい。
【００３５】
吸収体４０の前側端部４０Ｆは、前胴回り域における胴回り保持部に配置されている。吸収体４０の後側端部４０Ｒは、後胴回り域における胴回り保持部よりも前側に配置されている。換言すると、吸収体４０の後側端部４０Ｒは、図２に示す展開平面図において、サイド接合部１１よりも前側に配置されている。吸収体の前側端部４０Ｆは、左右のサイド接合部１１の間の胴回り保持部に配置される。なお、吸収体の前側端部と吸収体の後側端部の両方がサイド接合部１１よりも前後方向内側に配置されていてもよい。
【００３６】
第１吸収層４１及び第２吸収層４２は、綿状パルプと高分子吸収性ポリマー（ＳＡＰ）とから構成されている。第１吸収層４１は、例えば、パルプ１００〜５００ｇ／ｍ２とＳＡＰ２０〜５００ｇ／ｍ２とを混合させて形成することができる。本実施の形態に係る第１吸収層４１は、パルプ２３０ｇ／ｍ２とＳＡＰ１２０ｇ／ｍ２とを混合させて形成されている。第２吸収層４２は、例えば、パルプ１００〜５００ｇ／ｍ２とＳＡＰ０〜５００ｇ／ｍ２とを混合させて形成することができる。本実施の形態に係る第２吸収層４２は、パルプ２３０ｇ／ｍ２とＳＡＰ１００ｇ／ｍ２とを混合させて形成されている。
【００３７】
吸収体４０の保水量は、３００ｇ以上である。本実施の形態における「保水量」とは、吸収体が吸収した水分を保持できる最大の水量を意味し、具体的には、１５０Ｇで脱水した場合であっても保持できる水量である。
【００３８】
保水量は、具体的には次のような測定方法により求めることができる。
【００３９】
先ず、使用器具として、生理食塩水（０.９％ＮａＣｌ溶液）、アクリル板（目安寸法３２０×５４５ｍｍ、厚み３ｍｍ〜５ｍｍ、重量４００ｇ〜６００ｇ）、脱水機（１５０Ｇ  ）、金網（標準金網：開孔５φ、孔間距離５ｍｍ）を準備する。次いで、測定対象の試料を採取する。具体的には、ウエストギャザー、レッグギャザー、防漏部を構成する弾性材を切断して、おむつを平らにする。その後、弾性材を切断後のおむつ１枚の重量を測定する。なお、切断する際には、吸収体を切断しないようにする。また、試料の採取数は、ｎ＝５とする。
【００４０】
手順としては、先ず、おむつの吸収体を下に向けた状態で生理食塩水約２０Ｌ中に手で押しながら浸漬させる。生理食塩水は、おむつ６枚まで測定が可能であり、それ以上は濃度が変化してしまうため、交換が必要である。おむつを浸漬させた後、その状態で３０分間放置する。３０分経過後、おむつを取り出し、外装体１Ｂが内側になるように折り返して、ウエストギャザー３をクリップで挟み、竿につるす。この状態で１０分間放置する。１０分経過後、おむつの重量を測定し、初期の重量との差から、吸水量が求まる。次いで、上記の処置を施して吸水量を求めたおむつ（３枚まで）を、脱水機内に入れ、吸収体を外に向けておむつ同士が重ならないように並べ、９０秒間、１５０Ｇの脱水を行う。脱水後、おむつの重量を測定し、初期の重量との差から、保水量が求まる。
【００４１】
第１吸収層４１は、第２吸収層４２よりも前後方向外側及び幅方向外側に延出している。第１吸収層４１には、中央曲部を構成する中央スリット４５と、サイド曲部を構成する一対のサイドスリット４６とが形成されている。本発明の曲部は、中央曲部及びサイド曲部によって構成されている。
【００４２】
中央スリット４５は、第１吸収層の幅方向中央に形成されている。中央スリット４５は、前後方向Ｌに沿って延在する縦長の形状を有している。このように中央スリット４５を形成することにより、吸収体の幅方向中央部分を着用者側である内方向ＩＮに凸に曲がり易くすることができる。また、吸収体の前後方向への体液等の拡散性を高め、広い範囲において体液等を拡散させて、吸収性能を向上させることができる。
【００４３】
一対のサイドスリット４６は、中央スリット４５よりも幅方向外側にそれぞれ形成されている。サイドスリット４６は、前後方向Ｌに沿って延在する縦長の形状を有している。サイドスリット４６は、外方向ＯＵＴに凸、つまり吸収体４０が中央スリット４５と逆の凸に曲がるように、前後方向Ｌに沿って吸収体４０に形成されている。
【００４４】
中央スリット４５の幅方向の長さは、８〜５０ｍｍである。サイド曲部の幅方向の長さは、３〜３５ｍｍである。本実施の形態の中央スリット４５の幅方向の長さは、４０ｍｍであり、サイドスリット４６の幅方向の長さは、１０ｍｍである。
【００４５】
第２吸収層４２は、平面視において砂時計形状である。第２吸収層４２の幅方向の長さが最も短い領域において、第２吸収層４２の幅方向外側端部は、平面視で、第１吸収層４１のサイドスリットの幅方向内側端部に一致している。幅方向において第２吸収層４２の外側端部とサイドスリットの内側端部とが一致していることにより、サイドスリットを基点により安定的に吸収体を変形させることができる。また、吸収性本体のサイドスリットが形成された領域には、表面シートと吸収体裏面シートのみが配置される。この表面シートと吸収体裏面シートを接合することにより、吸収体の型崩れを抑制しつつ、吸収体を変形させることができる。
【００４６】
吸収体４０は、曲部を構成するサイドスリット４６及び中央スリット４５よりも後方において、吸収体の後側端部の剛性よりも剛性が高い高剛性領域ＲＨを有する。図５において、高剛性領域ＲＨに斜線を付して示す。高剛性領域ＲＨは、サイドスリット４６及び中央スリット４５よりも後方において第１吸収層と第２吸収層とが重なった領域である。吸収体４０の後側端部４０Ｒは、第１吸収層４１のみである。高剛性領域ＲＨは、第１吸収層４１と第２吸収層４２とが重なっている。高剛性領域ＲＨは、吸収体４０の後側端部４０Ｒよりも目付が高いことによって、吸収体４０の後側端部４０Ｒよりも剛性が高い。
【００４７】
図５に示すように、高剛性領域ＲＨと接合領域ＲＡは、少なくとも一部が重なっている。高剛性領域ＲＨと接合領域ＲＡとが重なった領域から幅方向に沿って延びる所定領域内において、少なくとも幅方向に伸縮する後レッグ弾性材５Ｒが設けられている。後レッグ弾性材５Ｒは、所定領域内において幅方向に伸縮する弾性材を構成する。
【００４８】
なお、高剛性領域ＲＨと接合領域ＲＡとが重なった領域とは、接合領域を示す斜線（図５において、左下がりの斜線）と、高剛性領域ＲＨを示す斜線（図５において、右下がりの斜線）と、が重なった領域である。また、高剛性領域ＲＨと接合領域ＲＡとが重なった領域から幅方向に沿って延びる所定領域とは、高剛性領域ＲＨと接合領域ＲＡとが重なった領域から幅方向に延出した領域である。所定領域の幅方向の範囲は、高剛性領域ＲＨと接合領域ＲＡとが重なった領域よりも幅方向外側の範囲である。所定領域の長手方向の範囲は、高剛性領域ＲＨと接合領域ＲＡとが重なった領域の長手方向の範囲と同じである。
【００４９】
後レッグ弾性材５Ｒの幅方向内側端部の位置は、サイドスリット４６の後側端部よりも、前後方向外側にあり、第１吸収層４１と第２吸収層４２が重なる高剛性領域ＲＨの後側端部に対する前後方向における位置と、略一致している。吸収体の後側端部には、股下弾性材３Ｃが重なっている。
【００５０】
なお、吸収体の剛性は、吸収体の剛軟度によって指標され、例えば、テーバー法（ＪＩＳ Ｐ ８１２５）に準拠して測定できる。剛軟度の測定方法は、以下のとおりである。
【００５１】
（１）吸収体を所定の寸法に裁断し、縦寸法７０ｍｍ×横寸法３８．１ｍｍの剛軟度測定用サンプルを作成した。剛軟度測定用サンプルは、乾燥状態として、吸収コアをラップするティッシュを含む。剛軟度測定用サンプルを切り出す際は、使い捨ておむつからギャザーを取り除き、皺を伸ばした状態で切り出す。更に、剛軟度測定用サンプルは、折り目を避けて切り出す。使い捨ておむつを所定寸法で切り出した後に、使い捨ておむつを構成する不織布等を取り除き、吸収体のみ（吸収性コアとティッシュ）の状態とする。剛軟度の測定には、厚さ測定器（PEACOCK DIAL THICKNESS GAUGE No.C11352 径５０ｍｍ・荷重３ｇ／ｃｍ２）と（株）安田精機製作所製のテーバースティフネステスター（テーバー試験機）とを使用した。
【００５２】
（２）次に、剛軟度の測定の手順を説明する。（ａ）厚さ測定器を介してサンプルの厚さ寸法Ｗを測定する。（ｂ）サンプルをテーバー試験機のサンプル曲げ機構のローラ間に入れ、サンプル掴みとサンプルとが同一直線状かつ中心刻線が荷重目盛りの０となるようにサンプルを取り付ける（サンプル掴みの間隔はサンプルの厚さと合わせる）。（ｃ）ローラとサンプルとの左右隙間の合計をＷ×０．８０（ｍｍ）に調節し、ローラからサンプルまでの距離を０．５ｍｍ程度にする。（ｄ）サンプル曲げ機構を時計回り方向へ回転させ、曲げ機構の１５度を示す刻線と荷重振り子の指針とが一致した点で曲げ機構の回転を停止し、このときの振り子の指針が指示する荷重目盛りの数値Ｘを読み取る。（ｅ）直ちにサンプル曲げ機構を反時計回り方向へ回転させ、曲げ機構の１５度を示す刻線と荷重振り子の指針とが一致した点で曲げ機構の回転を停止し、このときの振り子の指針が指示する荷重目盛りの数値Ｙを読み取る。なお、荷重目盛りが最大目盛りの１５〜８５％の範囲に入るように補助おもりを選択し、選択した補助おもりをサンプルに取り付ける。
【００５３】
（３）時計回り方向と反時計回り方向とにおいて読み取った荷重目盛りの数値Ｘ，Ｙを使用し、以下の式によってサンプルの剛軟度を求める。剛軟度（Ｎ・ｃｍ）＝｛（Ｘ＋Ｙ）／２｝×｛（補助おもり数値）／１０００×９．８０７｝、算出したサンプルの剛軟度を吸収体の剛軟度とした。
【００５４】
図３に示すように、第１吸収層４１のサイドスリット４６の幅方向内側端部は、セカンドシート１５の幅方向外側端部に略一致している。本実施の形態では、一方のサイドスリットの幅方向内側端部と他方のサイドスリットの幅方向内側端部との距離は、７６ｍｍであり、セカンドシートの幅方向の長さは、８０ｍｍである。
【００５５】
このようにセカンドシート１５及びサイドスリット４６が設けられていることにより、中央スリット４５とサイドスリット４６を基点として吸収体４０が変形した状態で、サイドスリット４６及びセカンドシート１５を介して、吸収体４０をより非肌当接面側に凸状に形成できる。更に、中央スリット４５とサイドスリット４６を基点として吸収体４０が変形した状態で、着用者側に凸状となる部分にセカンドシート１５が設けられているため、セカンドシート１５によって体液を引き込むスピードを高め、表面シート上に体液が残ることを抑制できる。なお、第１吸収層４１のサイドスリットの幅方向内側端部は、平面視において、セカンドシートの幅方向外側端部の近傍に設けられていればよく、セカンドシートの幅方向外側端部に一致していなくてもよい。
【００５６】
図中には示していないが、使い捨ておむつの製品中央部の吸収容量が多い(例えば、吸収体の目付が高い）形態において有効的である。使い捨ておむつの製品中央部に、弾性材を製品前後方向に伸張固定配置し、より中央曲部での肌側への起立性をよくしてもよい。具体的には、使い捨ておむつの中央スリット４５に重なる位置に弾性材を配置する。弾性材は、吸収体の外方向側、例えば、吸収体裏面シート３０の外方向側に、ホットメルト接着剤で伸長した状態で固定し、更に、不織布によってカバーシートを覆う。弾性材の長さは、１２０ｍｍとする。このように弾性材を設けることにより、体液を吸収した後においても、その重みで吸収体が下方にずれることを抑制し、吸収体を上方に保持できる。よって、吸収容量が多いタイプには、弾性材を設けることが望ましい。
【００５７】
吸収体裏面シート３０は、吸収体４０の非肌当接面側に設けられている。吸収体裏面シート３０は、液不透過性フィルムなど（例えば、ポリエチレン）のシートによって形成されている。吸収体裏面シート３０は、吸収体よりも外方向ＯＵＴに配置され、かつ液不透過性であり、液不透過性シートとして機能する。吸収体裏面シート３０は、吸収体４０よりも前後方向外側に延出して配置されている。
【００５８】
吸収体裏面シート３０は、前外装体１ＢＦと後外装体１ＢＲとに跨がっている。吸収体裏面シート３０の非肌当接面側には、センター外装シート１００が設けられている。
【００５９】
防漏部は、防漏サイドシート３２と、防漏弾性材３３と、を有し、吸収体４０の幅方向端部において前後方向に沿って配置されている。防漏サイドシート３２は、吸収体４０の幅方向Ｗの両側端において、表面シート１０、吸収体裏面シート３０を一体に包むように設けられる。防漏サイドシート３２は、液不透過性の不織布などのシートによって形成されている。防漏サイドシート３２の幅方向の一方の端部は、吸収体裏面シート３０の非肌面側の面に接合されており、防漏サイドシート３２の幅方向の他方の端部は、吸収体４０の幅方向側部から表面シート側に折り返され、表面シート１０の肌当接面側の面に接合されている。
【００６０】
防漏サイドシート３２は、ホットメルト接着剤によって表面シート等に接合されている。本実施形態では、ビード塗工によって目付０．１g/mでホットメルト型接着剤を複数本塗布した。また、防漏サイドシート３２は、疎水性の不織布シートを用いることができ、本実施形態では、ポリプロピレンの目付15g/m2のSMS不織布を用いた。
【００６１】
防漏弾性材３３は、吸収体裏面シート３０と防漏サイドシート３２と間に、伸長状態で貼りあわされている。防漏弾性材の固定手段としては、ホットメルト型接着剤を例示できる。本実施の形態は、防漏弾性材３３としてスパンデックスを用い、Ｖスロット方式により直接塗工している。より、具体的には、防漏弾性材３３は、７８０ｄｔｅｘの太さ、２．３倍の伸長倍率で２本伸長固定される。
【００６２】
前胴回り域Ｓ１及び後胴回り域Ｓ２には、ウエストギャザー３が設けられる。ウエストギャザー３は、吸収体４０の幅方向Ｗに沿って伸縮するように配設される合成ゴムなどの細長いウエスト弾性材３Ａと胴回り弾性材３Ｂを有する。ウエストギャザー３は、前胴回り域Ｓ１における使い捨ておむつ１の幅方向Ｗ外側に位置する一方の前胴回り縁部４から他方の前胴回り縁部４‘まで連続し、後胴回り域Ｓ２における使い捨ておむつ１の幅方向Ｗ外側に位置する一方の後胴回り縁部６から他方の後胴回り縁部６‘まで連続する。
【００６３】
ウエスト弾性材３Ａ及び胴回り弾性材３Ｂは、前側外装トップシート７０Ｆと前側外装バックシート８０Ｆの間、及び後側外装トップシート７０Ｒと後側外装バックシート８０Ｒの間に、伸長された状態で接着剤（例えばホットメルト型接着剤）によって固定されている。本実施形態では、Vスロット方式でホットメルト型接着剤が塗工されている。
【００６４】
ウエスト弾性材３Ａ及び胴回り弾性材３Ｂは、スパンデックスによって構成されている。ウエスト弾性材３Ａは、７８０ｄｔｅｘの太さ、３．０倍の伸長倍率で伸長固定される。ウエスト弾性材３Ａの本数は、前胴回り域に４本、後胴回り域に４本とすることができる。胴回り弾性材３Ｂは、前胴回り域のウエスト弾性材３Ａの後側、及び後胴回り域のウエスト弾性材３Ａの前側に、それぞれ設けられる。胴回り弾性材３Ｂは、７８０ｄｔｅｘの太さ、３．０倍の伸長倍率で伸長固定される。胴回り弾性材３Ｂの本数は、前胴回り域に６本、後胴回り域に８本とすることができる。
【００６５】
また、股下域には、幅方向に沿って延びる股下弾性材３Ｃが設けられている。股下弾性材３Ｃは、後胴回り域の胴回り弾性材３Ｂの前側に設けられる。股下弾性材３Ｃは、７８０ｄｔｅｘの太さ、３．０倍の伸長倍率で伸長固定される。股下弾性材３Ｃの本数は、２本とすることができる。
【００６６】
なお、ウエスト弾性材３Ａ、胴回り弾性材３Ｂ及び股下弾性材３Ｃの太さ、伸長倍率及び本数は、上記に限られず、種々設定することができる。複数の股下弾性材３Ｃのうち、少なくとも１本の股下弾性材３Ｃは、吸収体の前後方向の端部に重なって配置されている。
【００６７】
脚回り開口部９の周囲には、レッグギャザー５が設けられる。レッグギャザー５の少なくとも一部は、脚回り開口部９に沿って配置されている。レッグギャザー５は、前胴回り域Ｓ１に配置される前レッグ弾性材５Ｆと、後胴回り域Ｓ２と股下域Ｓ３とに跨がって配置される後レッグ弾性材５Ｒと、によって形成されている。
【００６８】
後レッグ弾性材５Ｒは、後胴回り域Ｓ２から股下域Ｓ３にかけて配置されており、後胴回り域Ｓ２から股下域Ｓ３に向かうにつれて幅方向内側に向かうように配置されている。前レッグ弾性材５Ｆは、前胴回り域Ｓ１において、幅方向に沿って配置されている。後レッグ弾性材５Ｒと前レッグ弾性材５Ｆの幅方向中央は、分断されている。後レッグ弾性材５Ｒと前レッグ弾性材５Ｆは、幅方向に非連続である。
【００６９】
前レッグ弾性材５Ｆは、前側外装トップシート７０Ｆと前側外装バックシート８０Ｆとの間に、伸長された状態で接着剤（例えばホットメルト型接着剤）によって固定されている。後レッグ弾性材５Ｒは、後側外装トップシート７０Ｒと後側外装バックシート８０Ｒとの間に、伸長された状態で接着剤（例えばホットメルト型接着剤）によって固定されている。本実施形態では、本実施形態では、スパイラル方式でホットメルト接着剤が塗工されている。
【００７０】
前レッグ弾性材５Ｆ及び後レッグ弾性材５Ｒは、スパンデックスによって構成されている。前レッグ弾性材５Ｆ及び後レッグ弾性材５Ｒは、７８０ｄｔｅｘの太さ、１．５〜３．５倍の伸長倍率で前後それぞれ３本伸長固定される。なお、前レッグ弾性材５Ｆ及び後レッグ弾性材５Ｒの太さ、伸長倍率及び本数は、上記に限られず、種々設定することができる。
【００７１】
（２）作用効果                      
曲部を構成する中央スリットとサイドスリットを有する。使い捨ておむつ１が着用されると、吸収体の股下域Ｓ３は、着用者の股間に当てられる。着用者の脚等によって、吸収体には、幅方向外側から幅方向内側に向かって力が掛かる。幅方向外側から幅方向内側に向かって吸収体４０に力が掛かると、中央スリット４５とサイドスリット４６とを基点として吸収体４０が内方向と外方向とに変形する。使い捨ておむつ１の幅方向Ｗに沿った断面形状は、波状に変形し、吸収体４０の股下域Ｓ３は、規則的に折り畳まれた状態となる。
【００７２】
図７に基づいて、装着時における使い捨ておむつの変形状態について詳細に説明する。図７は、使い捨ておむつ１の着用状態を模式的に示す断面図（図１のＡ−Ａ線基準）である。使い捨ておむつ１が着用されると、吸収体の股下域Ｓ３は、着用者の股間に当てられる。着用者の脚等によって、吸収体には、幅方向外側から幅方向内側に向かって力が掛かる。吸収体４０は、中央スリット４５と、サイドスリット４６と、を基点として吸収体４０が曲がり、使い捨ておむつ１の幅方向Ｗに沿った断面形状は、波状に変形する。よって、吸収体４０の股下域Ｓ３は、規則的に折り畳まれた状態となる。
【００７３】
吸収体４０は、中央スリットによって内方向ＩＮに凸となった吸収体４０の頂面が着用者の股間部に当接する。曲部による内方向に凸状部分が形成される部分は、第２吸収層４２のみによって構成されており、比較的厚みが薄い。一方、曲部による内方向に凸状部分とサイドスリットによる外方向に凸状部分との間は、第１吸収層４１と第２吸収層４２とが重なっており、比較的厚みが厚く、剛性が高い。曲部とサイドスリットとの間の剛性が高い部分によって曲部による凸状部分を支持することができ、曲部による凸形状の安定性を向上させることができる。
【００７４】
また、着用者が両脚を閉じると、使い捨ておむつ１の断面形状は、吸収体は、曲部で折り畳まれ、互いに密着した状態で、股間部の下方においてコンパクトに配置される。
【００７５】
このとき、中央スリット４５によって形成される曲部は、着用者の股間部と当接するように位置する。一方、サイドスリット４６によって形成される曲部は、非肌当接面側に凸状であり、着用者の排泄口と当接し難い位置となる。
【００７６】
着用者の股間部において吸収体が密着しているので、肌伝いするような尿速の遅い尿が排出された場合であっても、体液の漏れを防止できる。また、折り畳まれた状態で、吸収体の肌から離れた部分の曲部においては、前後方向に延びる凹みが形成されるため、体液を前後方向外側へ拡散させることができ、横漏れを防止することができる。
【００７７】
吸収体に形成した中央スリット４５、サイドスリット４６を基点に折りまげるため、吸収体４０に厚さの薄い部分を形成して凸状部分とする場合と比較して、吸収体４０が液体を吸収して膨らんだ場合でも吸収体４０が曲がり易くなる。また、使い捨ておむつ１を着用して吸収体４０が変形したときの断面形状は、非肌当接面側から肌当接面側に向かって狭くなる先細り形状である。よって、着用者の股間部の隙間に収まり易く違和感を与えにくい。
【００７８】
また、中央スリット４５によって形成される凸状部分は、第２吸収層４２のみによって構成されており、第１吸収層４１と第２吸収層４２とが積層されて構成された部分よりも厚みが薄い。すなわち、中央スリット４５によって形成される凸状部分は、厚みが薄くかつ高さが高いため、股間部の狭い隙間に挿入され易くなり、排泄口と密着し易くなる。よって、排尿口と吸収体とが密着するため、排泄された尿を迅速に吸収することができる。また、着用者の股間部の肌に近い部分においては、吸収体の厚みが薄く、肌から遠い部分で厚みが厚くなるように折り畳まれるため、違和感なくフィットさせることができる。
【００７９】
更に、吸収体の幅方向外側には、吸収性本体の幅方向外側端部を着用者側に立ち上げる防漏部が設けられている。着用時には、サイド屈曲部より外側の吸収体と防漏体が、着用者の肌方向に起立するような規則的な変形がなされ、着用時には股間部に収まりやすくなる。下層の中央スリット部により、肌方向に凸となる変形がなされ、前記サイド屈曲部と合わせてW字型の規則的な変形がなされ、着用者の肌に密着させることができる。
【００８０】
着用時に曲部によって吸収体が規則的に折り畳められるので、着用者が足を閉じたときに幅が最も狭くなる部位に当る吸収体の違和感が低減する。よって、吸収体の幅を広くした場合であっても、違和感を与えることなく、着用者の股間部にフィットさせることができる。また、吸収体の幅を広くした場合であっても、吸収体４０と排泄口とを密着させることができる。よって、吸収性能を高め、排泄物の股間部からの体液の外漏れを少なくできる。更に、着用者の股間部で効率的に吸収できるので、吸収体の長さを短くすることができ、吸収体をコンパクトな大きさにすることができる。
【００８１】
本実施の形態の吸収体の後側端部は、後胴回り域に到達してなく、股下域内に位置する。よって、本実施の形態の吸収体の前後方向の長さは、後胴回り域に吸収体が到達している吸収体と比較して短い。例えば、吸収体の後側端部が後胴回り域に到達している場合には、外装体の後胴回り域によって吸収体を幅方向に広げたり、外装体の後胴回り域によって着用者に吸収体を押し当てたりすることができる。しかし、実施の形態の吸収体は、吸収体の後側端部が股下域内に位置するため、外装体の後胴回り域によって吸収体を幅方向に広げることができず、かつ外装体の後胴回り域によって着用者に吸収体を押し当てることができない。よって、吸収体の変形が吸収体の後側端部まで波及し、吸収体の幅方向の長さを維持できないおそれがある。吸収体の幅方向の長さを維持できない場合には、尿や便の排泄物が、吸収体の幅方向両端部から幅方向外側へ漏れやくなる。
【００８２】
本実施の形態の使い捨ておむつは、サイドスリット４６よりも後胴回り域側に、股下域から後胴回り域に向かって幅方向外側に延びる後レッグ弾性材が伸張された状態で固定されている。装着時に、変形した吸収体を上方（後胴回り域側）かつ幅方向外側に後レッグ弾性材によって引っ張ることができ、吸収体の後側端部における幅方向内側への変形を抑えることができる。吸収体の後側端部の領域、より詳細には、後レッグ弾性材の前後方向内側端部から前後方向外側に位置する吸収体の領域における幅方向の変形を抑制し、当該領域を平坦な状態で着用できる。
【００８３】
また、高剛性領域と接合領域とが重なる領域から幅方向に沿って延びる所定領域内に後レッグ弾性材５Ｒが設けられているため、所定領域を介して、高剛性領域と接合領域とが重なった領域を幅方向に引っ張ることができる。接合領域を幅方向外側に引っ張ることにより、後レッグ弾性材５Ｒが設けられた外装体１Ｂの伸縮力を、吸収体４０が設けられた吸収性本体１Ａに効率よく伝えることができ、吸収体４０を肌側に向けて押さえることができる。
【００８４】
更に、少なくとも１本以上の股下弾性材３Ｃは、吸収体の後側端部に重なっている。この股下弾性材３Ｃによっても、吸収体４０を幅方向に引っ張ることができる。なお股下弾性材３Ｃが設けられた外装体１Ｂの伸縮力を、吸収体４０が設けられた吸収性本体１Ａに効率よく伝えるために、吸収体と股下弾性材３Ｃが重なる部分は、接合領域であることが望ましい。
【００８５】
また、吸収体４０が幅方向に引っ張れる高剛性領域ＲＨは、曲部よりも後方に位置している。曲部よりも後方に位置する高剛性領域を幅方向に引っ張ることにより、曲部の変形を高剛性領域よりも後方に伝わることを抑制できる。
【００８６】
更に、高剛性領域は、吸収体の後端部よりも目付が高く、吸収体の後端部よりも剛性が高い。よって、高剛性領域において吸収体の曲部による変形が抑制されることにより、高剛性領域よりも後方の吸収体にも伝播しにくくなる。
【００８７】
よって、股間部中心において吸収体を曲部によって変形させ、吸収体の面積を増やして吸収性能を高めつつ、曲部よりも後方において吸収体の変形を抑制し、吸収体を身体に沿わせて配置できる。
【００８８】
更に、サイドスリット４６の後部には、第１吸収層４１と第２吸収層４２とが重なる境界ＲＢが位置し、当該境界ＲＢが幅方向内側から幅方向外側に向かって延びている。図５及び図６に、当該境界ＲＢを二点鎖線で囲んで示す。第１吸収層と第２吸収層が重なる部分と重ならない部分の境界ＲＢは、吸収体を構成する吸収材料の目付が変化する境界であり、剛性が変化する境界である。
【００８９】
吸収体の境界ＲＢがサイドスリット４６の後方端部付近において幅方向内側から幅方向外側に向けて配置されているため、境界ＲＢよりも後方に吸収体の変形が波及するのを防ぐことができる。また、吸収体の境界ＲＢの幅方向外側に、後レッグ弾性材５Ｒの前側端部が配置されている。後レッグ弾性材５Ｒは、幅方向外側に向かって後方（上側）に向かうように延びて伸張した状態で固定されている。このような構成により、サイドスリット４６の後側端部領域を身体に押し当てることができる。サイドスリット４６の後側端部領域において、吸収体４０と身体との隙間をつくることがなく体液を受け止めることができる。よって、吸収性能を高め、肌伝いによる外漏れを防ぐことができる
着用時に股間部で吸収体を規則的に変形させ、着用者の股間部にフィットさせることにより、排泄口からでた尿を迅速に吸収体に引き込み、吸収体が肌から離れることによって生じる肌伝いや漏れを防ぐことができる。よって、吸収体の股下域における吸収効率を高めることができる。また、後レッグ弾性材５Ｒによって外装体を引き上げるため、曲部による吸収体の変形を後方に波及することを防ぎ、後レッグ弾性材５Ｒの前側端部よりも後方の領域に配置された吸収体を広く保つことができる。更に、後レッグ弾性材5Rによって、外装体に接合された高剛性領域を引き上げるため、排泄物を吸収後も、お尻側の吸収体が身体から離れることを抑制したり、動きによって下方にズレ落ちることを抑制したりできる。
【００９０】
また、高剛性領域と高剛性領域よりも後方の領域とは、剛性が異なり、変形基点となり易い。具体的には、高剛性領域は、第１吸収層と第２吸収層が重なっており、高剛性領域よりも後方の領域は、第１吸収層のみによって構成されている。この高剛性領域と高剛性領域よりも後方の領域との境界Ｑを、図６において点線で囲んで示す。境界Ｑは、幅方向に延びている。よって、吸収体が境界Ｑを基点に長手方向に変形する。よって、吸収体は、幅方向にコンパクトに変形し、かつ前後方向に沿っても変形し、着用者の丸みに沿って配置され易くなる。更に、吸収体の前側端部は、第１吸収層のみによって構成されており、当該前側端部よりも後方は、第１吸収層と第２吸収層が重なって構成されている。よって、吸収体は、前側端部近傍においても、１吸収層のみの領域と、第１吸収層と第２吸収層が重なった領域との境界を基点に長手方向に変形する。この使い捨ておむつによれば、着用者の股間部に配置される吸収体の面積を増やして吸収性能を向上させつつ、着用者の身体に沿って吸収体を配置して、フィット性を高めることができる。
【００９１】
このような使い捨ておむつによれば、保水量が３００ｇを超える吸収容量を有する使い捨ておむつにおいて、吸収体の後方の前後方向の長さを短くして、コンパクトな吸収性本体にすることができる。特に、吸収体本体の表面シートや吸収裏面シート及び防漏部の面積を少なくでき、コストを削減できる。
【００９２】
後レッグ弾性材５Ｒは、後胴回り域において幅方向に連続してなく、後レッグ弾性材５Ｒの幅方向中央において分断されている。分断された状態で、後レッグ弾性材５Ｒは、幅方向に離間しており、各レッグ弾性材の幅方向内側端部は、吸収体よりも幅方向外側に配置されている。
【００９３】
図８は、後外装体の着用時の変形態様を説明するための図である。図８は（ａ）は、着用前の状態を示しており、（ｂ）は、着用後の状態を示している。なお、着用時の後外装体は、図１に示すように着用者の身体に沿う曲線形状であるが、図８においては、説明の便宜上、展開平面図として示す。
【００９４】
図８（ａ）に示す着用前の状態において、後レッグ弾性材の前側端部は、後外装体の前側端部に到達しており、かつ吸収体よりも幅方向外側に位置している。後外装体の前側端部は、幅方向中央において吸収性本体に接合され、幅方向外側端部は、吸収性本体に接合されていない。後外装体の前側端部において、吸収性本体に接合された部分と、吸収性本体に接合されていない部分との境界をＰとして示す。
【００９５】
図８（ｂ）に示す着用時の状態において、後外装体の前側端部は、後レッグ弾性材を介して幅方向外側かつ後胴回り域側に引っ張られる。よって、後外装体は、境界Ｐを基点に幅方向外側かつ後胴回り域側に引っ張られる。
【００９６】
例えば、レッグ弾性材の幅方向内側端部が吸収体に重なっていると、吸収体よりも幅方向外方の領域が幅方向に収縮する。吸収体よりも幅方向外側には、着用者の臀部が位置するため、吸収体よりも幅方向外方の領域が幅方向に収縮すると、使い捨ておむつによって臀部をきちんと覆うことができないおそれがある。しかし、レッグ弾性材の幅方向内側端部が、吸収体４０と離間しているため、吸収体とレッグ弾性材との間に臀部を覆う領域を設けることができる。
【００９７】
曲部は、吸収体に形成されたスリットのみならず、前後方向に沿って吸収体に配置された弾性材、吸収体において周囲の吸収体の目付よりも低い目付である低目付領域、及び吸収体を厚み方向において圧搾した圧搾部、及び吸収体において周囲の吸収体と目付が異なる目付境界部のうち、いずれかによって構成されていてもよい。
【００９８】
吸収体の後側端部は、第１吸収層又は第２吸収層のみが配置されている。高剛性領域ＲＨは、第１吸収層と第２吸収層が積層された領域である。例えば、１層からなる吸収体において、部分的に高い目付の領域を製造する場合には、吸収材料の積層する厚みを部分的に異ならせる必要があり、製造装置が複雑になることがある。しかし、複数の吸収層によって吸収体を構成し、かつ吸収層が積層する部分と積層しない部分とを設けて高剛性領域ＲＨを形成することにより、より簡易に高剛性領域ＲＨを設けることができ、かつ高剛性領域ＲＨの位置や範囲を適宜変更することができる。
【００９９】
外装体は、前胴回り域と股下域の一部に跨がって配置された前外装体と、後胴回り域と股下域の一部に跨がって配置された後外装体と、を備える。後外装体の前側端部は、所定領域内に位置する。外装体は、着用者の腰回りを覆うように配置されており、幅方向に引っ張る力が作用する。後外装体の前側端部が所定領域内に位置するため、後外装体の前側端部を介して吸収体を幅方向に引っ張ることができ、曲部よりも後方の吸収体をより平滑な状態に維持できる。
【０１００】
レッグ弾性材の幅方向外側端部は、サイド接合部に到達している。レッグ弾性材は、サイド接合部から幅方向内側に向かって、前後方向内側に延びている。このようにレッグ弾性材が配置されていることにより、外装体が幅方向に延びた際に、吸収体を幅方向外側に引っ張ると共に、上側（前後方向外側）に引っ張ることができる。特に、本実施の形態のように、吸収体が曲部を介して変形する場合において、吸収体の幅方向端部を幅方向外側に引っ張ることができ、着用者と接する吸収体の面積を確保することができる。
【０１０１】
後外装体の前側端部において、吸収体本体の幅方向外側に後側レッグ弾性材を配置することにより、吸収体本体をより幅方向に広げることができ、かつ着用者の臀部を包むことができる。よって、見た目においても、漏れに対する安心感を付与できる。見た目の安心感を得ることができ、かつ使用時に外漏れし難い使い捨ておむつを提供することができる。
【０１０２】
また、レッグ弾性材によって着用者の脚回りに使い捨ておむつを密着させつつ、吸収体の変形を抑制して吸収体のフィット性を高めることができる。吸収体を幅方向に引っ張る弾性材と、レッグ弾性材とを別々に設ける形態と比較して、部品点数を減らし、簡易な構成とすることができる。
【０１０３】
このように構成された使い捨ておむつの製造方法としては、例えば、吸収体の第１吸収層を成形する工程と、吸収体の第２吸収層を成形する工程と、第１吸収層と第２吸収層とを合体させる工程と、ベルトコンベア等で吸収体等を搬送し、搬送する過程で表面シート等のシート材と接合する工程と、を含む方法によって使い捨ておむつを製造することができる。なお、その他の工程は、公知の製造方法に従って製造し得る。
【０１０４】
なお、上述した使い捨ておむつ１を構成する各部材は、例えば、特開２００６−３４６４３９号公報に記載された材料を用いてもよい。
【０１０５】
上述したように、本発明の実施の形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【０１０６】
次いで、図９に基づいて変形例に係る使い捨ておむつ１００Ａについて説明する。なお、以下の変形例の説明は、上述の実施の形態と異なる部分を説明し、実施の形態と同様の構成については、同符号を用いて説明を省略する。変形例に係る使い捨ておむつ１００Ａが実施の形態の使い捨ておむつ１と比較して異なる点は、（１）後レッグ弾性材が吸収体を横断している点、（２）吸収体が１層である点、（３）変形抑制部が吸収体に形成されたエンボスである点、（４）接合領域の範囲、及び（５）前外装体と後外装体とが前後方向に分離している点である。
【０１０７】
変更点（１）について説明する。変形例に係る後レッグ弾性材は、後外装体の一方の幅方向外側端部から他方の幅方向外側端部まで配置されている。後レッグ弾性材５Ｒの幅方向中央は、前方に向かって凹んでいる。後レッグ弾性材が吸収体を横断する形態であっても、吸収体４０を着用者側に押し当てることができ、かつサイドスリットの後部を伸長させつつ引き上げることができる。よって,吸収体の曲部よる変形が吸収体の後側端部に波及することを抑制できる。
【０１０８】
変更点（２）及び（３）について説明する。変形例に係る吸収体は、１層構造である。吸収体は、サイドスリット４６を有する。吸収体４０は、高剛性領域を構成する圧搾部４３が形成されている。圧搾部４３は、前後方向及び幅方向に対して傾斜して形成されていてもよいし、格子形状に形成されていてもよい。圧搾部４３は、連続していてもよいし、間欠的に設けられていてもよい。圧搾部４３は、吸収体の前後方向中心よりも前方と後方とにそれぞれ形成されている。よって、吸収体の前側と吸収体の後側とのそれぞれに幅方向に沿った変形基点を設けることができ、着用者の腹側から背側までの曲線に沿って吸収体を配置し易くなる。
【０１０９】
変更点（４）について説明する。図９において、外装体と吸収性本体の接合領域ＲＡに斜線を付して示す。接合領域は、前外装体に２カ所設けられており、後外装体に２カ所設けられている。各接合領域は、前後方向において離間している。前外装体の接合領域は、吸収性本体の前側端部近傍に位置する第１前接合領域ＲＡＦ１と、第１前接合領域ＲＡＦ１よりも後方に位置する第２前接合領域ＲＡＦ２と、を有する。後外装体の接合領域は、吸収性本体の後側端部近傍に位置する第１後接合領域ＲＡＲ１と、第１後接合領域ＲＡＲ１よりも前方に位置する第２後接合領域ＲＡＲ２と、を有する。各接合領域の幅方向の長さは、吸収性本体１Ａの幅方向の長さよりも短い。
【０１１０】
第２前接合領域ＲＡＦ２と第２後接合領域ＲＡＲ２は、それぞれ、前側外装トップシート７０Ｆ，後側外装トップシート７０Ｒに塗布したホットメルト接着剤によって形成されている。外装体に対してホットメルト接着剤を塗工することで、前後外装体の股下領域側端部付近に安定的に塗布することが可能となる。よって、外装体の股下領域側と吸収性本体との非接合部（ドライエッジ）の面積を少なくすることができる。非接合部（ドライエッジ）の面積を少なくすることにより、着用時の外装体のめくれや剥がれを防止でき、また、製造時にレッグギャザーと重なる部位に接合領域を配置し易い。
【０１１１】
また、第１前接合領域ＲＡＦ１と第１後接合領域ＲＡＲ１は、吸収体裏面シート３０上に塗布したホットメルト接着剤によって形成されている。吸収性本体に対してホットメルト接着剤に塗布することで、吸収性本体の長手方向端部領域において、外側にはみ出すことなく、長手方向端部、また幅方向外側端部付近まで正確に塗布することができる。このように、接合領域を分割することで、外装体と吸収性本体の接合領域を正確に、めくれなど発生することなく設けることができる。
【０１１２】
変更点（５）について説明する。外装体は、センター外装シートを備えず、前外装体と後外装体とが分離している。例えば、実施の形態の使い捨ておむつは、レッグ弾性材が間欠的に配置されている。このような使い捨ておむつを幅方向に連続して製造する場合は、レッグ弾性材を幅方向に沿って連続的に配置し、股下域の後レッグ弾性材５Ｒを切断し、当該切断した後レッグ弾性材５Ｒを取り除く。このように、股下域側で切断される製造工程を含んでいる場合には、分離した前外装体と後外装体に跨るように吸収性本体を貼り付ける接合工程の際にレッグ弾性材の収縮によって接合部に皺が発生しないために、交差方向（シート等の搬送方向と直交する方向）に外装体を伸ばすためのセンター外装シートを要する。しかし、変形例では、レッグ弾性材を股下域側端部で切断せず、連続的に配置する。そのため、搬送方向にレッグ弾性材を引っ張ることができ、交差方向に縮む力が少なくなる。よって、センター外装シートを備えなくてもよい。したがって、製造工程をよりシンプル化することができ、高速生産することができる。
【０１１３】
例えば、上述した実施の形態では、パンツ型の使い捨ておむつとして説明したが、本発明は、これに限定されるものではなく、オープン型の使い捨ておむつ、失禁用パッド及び生理用ナプキンなどに適用してもよい。
【０１１４】
テープ型の使い捨ておむつにあっては、前胴回り域、後胴回り域、ファスニングテープ、及びファスニングテープが止着されるターゲット部が胴回り保持部を構成する。具体的には、後胴回り域Ｓ２の胴回り保持部は、ファスニングテープの係合部材が設けられた領域から幅方向に延びる範囲である。前胴回り域の胴回り保持部は、ファスニングテープの係合部材が止着するターゲット部が設けられた領域から幅方向に延びる範囲である。
【０１１５】
また、吸収体の前側端部は、着用者の胴回りに保持される胴回り保持部よりも後側に配置されていてもよい。当該構成においては、吸収体は、曲部よりも前方において吸収体の前側端部の剛性よりも剛性が高い高剛性領域を有していることが好ましい。この前側の高剛性領域と接合領域は、少なくとも一部が重なっており、高剛性領域と接合領域とが重なる領域から幅方向に沿って延びる所定領域内において、幅方向に伸縮する弾性材が設けられていることが好ましい。当該構成によれば、曲部によりも後方の領域のみならず、曲部よりも前方の領域においても、曲部の変形を伝播することを抑制できる。
【０１１６】
このように、本発明は、ここでは記載していない様々な実施の形態などを含むことは勿論である。従って、本発明の技術的範囲は、上述の説明から妥当な特許請求の範囲に係る発明特定事項によってのみ定められるものである。
【符号の説明】
【０１１７】
１        ：使い捨ておむつ（吸収性物品）
１Ａ      ：吸収性本体
１Ｂ      ：外装体
１ＢＣ    ：センター外装体
１ＢＦ    ：前外装体
１ＢＲ    ：後外装体                             
３        ：ウエストギャザー
３Ａ      ：ウエスト弾性材
３Ｂ      ：胴回り弾性材
３Ｃ      ：股下弾性材
４        ：前胴回り縁部
５        ：レッグギャザー
５Ｆ      ：前レッグ弾性材
５Ｒ      ：後レッグ弾性材
６        ：後胴回り縁部
８        ：腰回り開口部
９        ：脚回り開口部
１０      ：表面シート
１１      ：サイド接合部
１５      ：セカンドシート
３０      ：吸収体裏面シート
３２      ：防漏サイドシート
３３      ：防漏弾性材
４０      ：吸収体
４０Ｒ    ：後側端部
４１      ：第１吸収層
４２      ：第２吸収層
４３      ：圧搾部
４５      ：中央スリット
４６      ：サイドスリット
７０Ｆ    ：前側外装トップシート
７０Ｒ    ：後側外装トップシート
８０Ｆ    ：前側外装バックシート
８０Ｒ    ：後側外装バックシート
１００    ：センター外装シート
ＩＮ      ：内方向
Ｌ        ：方向
ＯＵＴ    ：外方向
ＲＡＦ１  ：第１前接合領域
ＲＡＦ２  ：第２前接合領域
ＲＡＲ１  ：第１後接合領域
ＲＡＲ２  ：第２後接合領域
ＲＨ      ：高剛性領域
Ｓ１      ：前胴回り域
Ｓ２      ：後胴回り域
Ｓ３      ：股下域
Ｔ        ：厚み方向
Ｗ        ：幅方向
【図１】
2014233373.tif 000003
【図２】
2014233373.tif 000004
【図３】
2014233373.tif 000005
【図４】
2014233373.tif 000006
【図５】
2014233373.tif 000007
【図６】
2014233373.tif 000008
【図７】
2014233373.tif 000009
【図８】
2014233373.tif 000010
【図９】
2014233373.tif 000011